【事件の表示】
　特願２００６−５０３８０７「無線ローカルアクセスネットワークシステム検出及び選択」拒絶査定不服審判事件〔平成１６年　９月１０日国際公開、ＷＯ２００４／０７７７５１、平成１８年　８月１７日国内公表、特表２００６−５１８９７２〕について、次のとおり審決する。
【結　論】
　本件審判の請求は、成り立たない。
【理　由】
第１　手続の経緯
　本願は、２００４年２月２４日（パリ条約による優先権主張外国庁受理２００３年２月２４日、米国）を国際出願日とする出願であって、平成２１年１０月８日付けで拒絶理由が通知されたが、平成２２年６月７日付けで拒絶査定がなされ、これに対し、同年１０月１５日に拒絶査定不服の審判が請求されるとともに、同日付けで手続補正されたものである。
　
第２　本願発明
　特許請求の範囲の請求項１に係る発明（以下、「本願発明」という。）は、平成２２年１０月１５日付けで手続補正された明細書、特許請求の範囲及び図面の記載からみて、その特許請求の範囲の請求項１に記載された以下のとおりのものと認める。
　
　「無線ローカルエリアネットワークを識別する方法であって、
　携帯ページングインジケータをスキャンすることと、
　無線ローカルエリアネットワークビーコンをスキャンすることと、
　前記無線ローカルエリアネットワークがアクセス可能であるかを判定することと、
　前記無線ローカルエリアネットワークがアクセス可能であれば、前記無線ローカルエリアネットワークに登録することとを備える方法。」
　
第３　引用発明
　原審の拒絶理由に引用された国際公開第０１／２２６６２号（以下、「引用例」という。）には、図面とともに以下の事項が記載されている。
　
イ．「Fig. 5 illustrates a short range, high speed wireless LAN (W-LAN) overlapping with a longer range, lower speed wireless cellular communication network (long range network). Specifically, within the longer range, lower speed system, which may be a digital cellullar mobile telephone system, there are multiple long range regions orcells601 and 603 which provide coverage throughout a given physical area. The range or coverage for each cell 601,603 is on the order of, for example, greater than one mile radius.
　
　A cellular base station 605 transmits and receives data through its antenna 171 to mobile units located within its associated cell 601. The base station 605 is connected to a public network 619 such as the public switched telephone network (PSTN) or preferably a point of presence (POP) or other data connection 621 to the Internet.
　
　Shown within the cell 601 associated with base station 605 is a wireless local area network (W-LAN) 607. Several terminals or computers 609 are connected directly to the W-LAN 607, including a gateway 609A which is also connected to the public network 619 via any well-known means 621. In addition, two wireless LAN hubs 611A, 611B are connected to the LAN 607. Each wireless LAN hub 611 has a region of coverage 613A, 613B; the coverage area of the two hubs 611A, 611B may overlap as shown in Fig. 5. The regions of coverage 613A, 613B are generally of the order of tens or hundreds of feet, which is significantly smaller than the cells 601,603 associated with the long range network. In this respect, it is particularly important to note that Fig. 5 is not drawn to scale.
　
　Also shown are two subscriber units or terminals, such as portable computers, employing the present invention. The first terminal 615 is within range 613A of a wireless LAN base station 611, while the second terminal 617 is outside the range of either wireless LAN base station 611A, 611B but within the range 601 of the long range network base station 605.
　
　Because communication within the short range wireless LAN 613A or 613B is faster and less expensive as compared to the long range network, it is desirable to communicate using the short range path, i. e., the W-LAN protocol, rather than the more costly long range network, when a user's computer terminal 615 is within range of a W-LAN base station 611, i. e., within the region of coverage 613A, 613B.
　
　On the other hand, it is desirable that a terminal such as terminal 617, which is not within range of a wireless LAN base station 611, automatically communicate through the long range network's base station 605.
　
　Thus it is a primary feature of the present invention that a terminal such as 615 or 617 detects the presence or availability of a wireless LAN hub 611A or 611B, such as an IEEE 802.11-compliant W-LAN hub. This can be done in several ways. For example, IEEE 802.11 specifies that a beacon frame should be transmitted at regular intervals. A terminal 615,617 can detect the beacon frame by waiting a minimum period of time equal to the beacon interval. See, for example, Geier, J., Wireless LANs, pages 137 and 149, (Macmillan Technical Publishing, 1999), incorporated herein by reference, which describes how a W-LAN beacon signal is formatted.
　
　Alternatively, a terminal such as 615 may actively transmit a probe request frame. A wireless LAN base station 611 receiving such a probe request frame will respond with a probe response frame. Receipt of the probe response frame by the terminal 615 indicates accessibility of the wireless LAN, and the terminal 615 will use the wireless LAN and bypass the long range network.
　
　If, on the other hand, no beacon is received within the specified time period or no probe response frame is returned from the base frame, as would be the case with terminal 617, the terminal assumes that the wireless LAN base stations 611 are not accessible and instead communicates with the long range base station 605 using the long range network protocol rather than IEEE 802.11 protocol.
　
　Yet another alternative is simply to listen for activity on the wireless LAN 611. If no activity is heard, the terminal 615,617 assumes that the LAN is not accessible, and uses the long range communication system.」（１２頁１１行〜１４頁３行）
　
訳文（イ．）「図５では、狭域・高速ワイヤレスＬＡＮ（Ｗ−ＬＡＮ）に広域・低速ワイヤレス・セルラー通信ネットワーク（“広域ネットワーク”）を重ねている。特に広域・低速システム内には、デジタル・セルラー移動電話システムを有し、複数の広域領域または“セル”６０１と６０３とがあり、それらが所定の物理的領域全体に受信可能範囲を提供している。各セル６０１と６０３の範囲すなわち受信可能範囲は、例えば半径１マイル以上のオーダーである。
　
　セルラー基地局６０５は、そのアンテナ１７１を通して、関連セル６０１内に配置されたモービル・ユニットに対しデータを送信および受信する。基地局６０５は、公衆交換電話網（ＰＳＴＮ）のような公衆ネットワーク６１９、または好ましくはインターネットへのＰＯＰ（point of presence）または他のデータ・コネクション６２１に接続される。
　
　ワイヤレスＬＡＮ（Ｗ−ＬＡＮ）６０７が、基地局６０５に関連するセル６０１内に示されている。いくつかの端末装置またはコンピュータ６０９がＷ−ＬＡＮ６０７に直接接続されており、これらには任意の既知手段６２１を介して公衆ネットワーク６１９にも接続されているゲートウェイ６０９Ａを含む。さらに、２つのワイヤレスＬＡＮハブ６１１Ａ、６１１Ｂが、ＬＡＮ６０７に接続されている。各ワイヤレスＬＡＮ６１１は受信可能範囲６１３Ａ、６１３Ｂを有し、２つのハブ６１１Ａ、６１１Ｂの受信可能領域は、図５に示されるように重なっている。受信可能範囲６１３Ａ、６１３Ｂの領域は、一般に数十または数百フィートのオーダーであり、広域ネットワークに関連するセル６０１、６０３に比べてはるかに狭い。この点で、図５は規模を示していないことに注意することが特に重要である。
　
　本発明を使用している、ポータブル・コンピュータのような加入者ユニットまたは端末装置の２つも示している。第１端末装置６１５はワイヤレスＬＡＮ基地局６１１の範囲６１３Ａ内にあり、一方、第２端末装置６１７はワイヤレスＬＡＮ基地局６１１Ａ、６１１Ｂのどちらの範囲からも外れているが、広域ネットワーク基地局６０５の範囲６０１内にはある。
　
　狭域ワイヤレスＬＡＮ６１３Ａまたは６１３Ｂ内の通信は、広域ネットワークに比べて高速かつ低コストであり、ユーザのコンピュータ端末装置６１５がＷ−ＬＡＮ基地局６１１の範囲内、すなわち受信可能範囲６１３Ａ、６１３Ｂに領域内にあるときは、高コストの広域ネットワークでなく、狭域経路、すなわちＷ−ＬＡＮプロトコルを使用して通信するのが望ましい。
　
　これに反し、ワイヤレスＬＡＮ基地局６１１の範囲内に存在しない、端末装置６１７のような端末は、自動的に広域ネットワーク基地局６０５を介して通信する。
　
　このように、６１５または６１７のような端末装置が、ＩＥＥＥ  ８０２．１１準拠のＷ−ＬＡＮのようなワイヤレスＬＡＮハブ６１１Ａまたは６１１Ｂの存在または利用可能性を検出することが、本発明の主要形態である。これはいくつかの方法で実現できる。例えば、ＩＥＥＥ  ８０２．１１はビーコン・フレームを正規の時間間隔で送信する必要があることを規定している。端末装置６１５，６１７は、ビーコン時間間隔に等しい最小時間長さ待機することにより、ビーコン・フレームを検出できる。例えば、Geire、J., Wireless LANs（Macmillan Technical Publishing，1999）、p.137と149を参照すると、Ｗ−ＬＡＮビーコン信号をフォーマットする方法を記載している。前記内容は本明細書に引用している。
　
　代替方法では、６１５のような端末装置はプローブ要求フレームを能動的に送信できる。このようなプローブ要求フレームを受け取るワイヤレスＬＡＮ基地局６１１は、プローブ応答フレームで応答する。端末装置６１５によりプローブ応答フレームが受け取られることは、ワイヤレスＬＡＮのアクセス可能性を示し、端末装置６１５がワイヤレスＬＡＮを使用し、広域ネットワークをバイパスする。
　
　これに対し、端末装置６１７を用いる場合のように、特定時間長さ内にビーコンを受け取らないか、またはプローブ応答フレームが基地フレームから戻されない場合、端末装置はワイヤレスＬＡＮ基地局６１１がアクセス不可能であると判断し、代わりに、ＩＥＥＥ  ８０２．１１プロトコルでなく広域ネットワーク・プロトコルを使用して広域基地局と通信する。
　
　さらに別の代替方法では、ワイヤレスＬＡＮ６１１上のアクティビティを単に聞き取る。アクティビティが聞き取れない場合、端末装置６１５、６１７は、ＬＡＮがアクセス不可能と判断し、広域通信システムを使用する。」　
　
ロ．「Fig. 6 shows a terminal 615 which includes a subscriber unit 101 incorporating the features of the present invention. A user at this terminal 615 desires to communicate with a second site using a portable computer 110, PDA or other similar device. The computer 110 is connected to the subscriber unit 101. For example, the subscriber unit 101 may be a PCMCIA card which plugs into a PCMCIA slot, or it may connect to the computer 110 with a modem cable.
　
　The subscriber unit 101 itself preferably consists of an interface 120, a CDMA protocol converter 130 that performs various functions including spoofing 132 and bandwidth management 134 as described earlier, a CDMA transceiver 140, a W-LAN protocol converter 230, a W-LAN transceiver 240, a W-LAN detection circuit 201, path selection switches 211A, 211B, and a subscriber unit antenna 150. The various components of the subscriber unit 101 may be realized in discrete devices or as an integrated unit. For example, an existing conventional computer interface 120 such as the PCMCIA, ISA bus, PCI bus, or any other computer interface may be used together with existing transceivers 140,240. In this case, the unique functions are provided entirely by the protocol converters 130,230 which may be sold as separate devices, the W-LAN detection circuit 201 and the mode selection switches 211A, 211B.
　
　Alternatively, the interface 120, protocol converters 130,233, and transceivers 140,240 may be integrated as a complete unit and sold as a single subscriber unit device 101. Other types of interface connections such as Ethernet, ISDN, or still other data connections may be used to connect the computing device 110 to the protocol converter 130.
　
　The CDMA protocol converter 130 performs spoofing 132 and basic bandwidth management 134 functions. In general, spoofing 132 consists of insuring that the subscriber unit 101 appears, to the terminal equipment 110, to be connected to the public network 619 (Fig. 5) on the other side of the base station 605 at all times.
　
　The bandwidth management function 134 is responsible for allocating and deallocating CDMA radio channels 160 as required. Bandwidth management 134 also includes the dynamic management of the bandwidth allocated to a given session by dynamically assigning sub-portions of the CDMA radio channels 160 in a manner using a protocol such as that described previously.
　
　The CDMA transceiver 140 accepts the data from the protocol converter 130 and reformats this data in appropriate form for transmission through the subscriber unit antenna 150 over the radio link 160. The CDMA transceiver 140 may operate over only a single 1.25 MHZ radio frequency channel or, alternatively, may be tunable over multiple allocatable radio frequency channels.
　
　CDMA signal transmissions are then received and processed by the base station equipment 605 (Fig. 5). The base station 605 then couples the demodulated radio signals to, for example, the public network 619 in a manner which is well known in the art. For example, the base station 605 may communicate with the public network 619 over any number of different efficient communication protocols such as primary rate, ISDN, or other LAPD based protocols such as IS-634 or V5.2.
　
　It should also be understood that data signals travel bidirectionally across the CDMA radio channels 160. In other words, data signals received from the public network 619 are coupled to the portable computer 110 in a forward link direction, and data signals originating at the portable computer 110 are coupled to the public network 619 in a so-called reverse link direction.
　
　Continuing to refer to Fig. 6 briefly, in the long range, lower data rate mode, the spoofing function 132 involves having the CDMA transceiver 140 loop back synchronous data bits to spoof the terminal equipment 110 into believing that a sufficiently wide wireless communication link 160 is continuously available. However, wireless bandwidth is allocated only when there is actual data present from the terminal equipment to the CDMA transceiver 140. Therefore, the network layer need not allocate the assigned wireless bandwidth for the entirety of the communications session. That is, when data is not being presented upon the terminal equipment to the network equipment, the bandwidth management function 134 deallocates initially assigned radio channel bandwidth 160 and makes it available for another transceiver and another subscriber unit 101.
　
　W-LAN detection circuit 201 detects the presence or availability of a W-LAN base station 611 using, for example, one of the techniques previously discussed. If no W-LAN base station is detected, switches 211A and 211B are controlled by the detection circuit 201 such that the CDMA protocol converter 130 is switched in along with the CDMA transceiver 140.
　
　If, on the other hand, a W-LAN is detected, switches 211 A and 211B are switched to the position shown to utilize the W-LAN protocol converter 230 and transceiver 240, which are preferably IEEE 802.11-compliant. Note that the path switches 211A, 211B may be implemented in software or hardware, or a combination of hardware and software. Other functions may also be implemented in hardware and/or software which may further be shared by the W-LAN and CDMA sections where appropriate.」（１４頁４行〜１６頁１２行）
　
訳文（ロ．）「 図６は、本発明の形態を組み込んだ加入者ユニット６１５を含む端末装置６１５を示す。この端末装置６１５のユーザは、ポータブル・コンピュータ１１０、ＰＤＡまたは他の同様のデバイスを使用して第２サイトとの通信を望んでいる。コンピュータ１１０は、加入者ユニット１０１に接続されている。例えば、加入者ユニット１０１はＰＣＭＣＩＡスロットに差し込むＰＣＭＣＩＡカードであっても良く、また、前記ユニットはモデム・ケーブルを用いてコンピュータ１１０に接続しても良い。
　
　好ましくは、加入者ユニット１０１は、インタフェース１２０、前述のスプーフィング１３２と帯域幅管理１３４とを含む各種の機能を実行するＣＤＭＡプロトコル・コンバータ１３０、ＣＤＭＡトランシーバ１４０、Ｗ−ＬＡＮプロトコル・コンバータ２３０、Ｗ−ＬＡＮトランシーバ２４０、Ｗ−ＬＡＮ検出回路２０１、経路選択スイッチ２１１Ａ、２１１Ｂ，および加入者ユニット・アンテナ１５０から構成される。加入者ユニット１０１の各種コンポーネントは、ディスクリート・デバイスまたは集積回路で実現できる。例えば、ＰＣＭＣＩＡ、ＩＳＡバス、ＰＣＩバス、またはすベての他のコンピュータ・インタフェースなどの既存の従来のコンピュータ・インタフェース１２０を、既存のトランシーバ１４０、２４０と一緒に使用できる。この場合、固有機能が、個別デバイス、Ｗ−ＬＡＮ検出回路２０１およびモード選択スイッチ２１１Ａ，２１１Ｂとして販売されているプロトコル・コンバータ１３０、２３０によって全体に提供される。
　
　代替方法では、インタフェース１２０、プロトコル・コンバータ１３０，２３３、およびトランシーバ１４０，２４０を、完成ユニットとして集積化し、単一加入者ユニット・デバイス１０１として販売できる。Ｅｔｈｅｒｎｅｔ(登録商標）、ＩＳＤＮ、または他のデータ・コネクションなどの他のタイプのインタフェース・コネクションを使用して、コンピュータ・デバイス１１０をプロトコル・コンバータ１３０に接続可能である。
　
　ＣＤＭＡプロトコル・コンバータ１３０は、スプーフィング１３２と基本帯域幅管理１３４機能を実行する。一般に、スプーフィング１３２は、加入者ユニット１０１が常に基地局６０５とは別の側で公衆ネットワーク６１９（図５）に接続されるように、端末装置１１０に対し保証している。
　
　帯域幅管理機能１３４は、必要に応じて、ＣＤＭＡ無線チャンネル１６０の割当ておよび割当て解除を実行する。また、帯域幅管理機能１３４は、前述のようなプロトコルを使用する方法でＣＤＭＡ無線チャンネル１６０のサブ−部分を動的に割り当てることにより、所定のセッションに割り当てられた帯域幅の動的管理を含む。
　
　ＣＤＭＡトランシーバ１４０は、プロトコル・コンバータ１３０からデータを受け取り、このデータを、無線リンク１６０により加入者ユニット・アンテナ１５０を介して送信するのに適する形式に再フォーマットする。ＣＤＭＡトランシーバ１４０は、単一の１．２５ＭＨｚ無線周波数チャンネルだけにより動作でき、また代替方法では、多重割当て無線周波数チャンネルにより調整できる。
　
　次に、ＣＤＭＡ信号送信が、基地局装置６０５（図５）で受け取られて処理される。次に、基地局６０５は、復調された無線信号を、例えば、当技術分野では既知の方法により公衆ネットワーク６１９に結合する。例えば、基地局６０５は任意の数の異なる効率的通信プロトコル（基本速度、ＩＳＤＮ、またはＩＳ−６３４もしくはＶ５．２のような他のＬＡＰＤベースのプロトコル）を介して公衆ネットワーク６１９と通信できる。
　
　データ信号は、ＣＤＭＡ無線チャンネル１６０全体に渡って双方向に移動する。言いかえると、公衆ネットワーク６１９から受け取られたデータ信号は、ポータブル・コンピュータ１１０をフォワード・リンク方向に結合し、ポータブル・コンピュータ１１０から送出されたデータは、いわゆるリバース・リンク方向に公衆ネットワーク６１９に結合される。
　
　簡単のために図６を引用して説明を続ける。広域・低速データ転送率モードでは、スプーフィング機能１３２は、ＣＤＭＡトランシーバ１４０に同期データ・ビットをループバックさせることを含み、端末装置１１０をスプーフして（欺いて）、非常に広いワイヤレス通信リンク１６０が連続して利用可能であるように信じさせる。しかし、端末装置からＣＤＭＡトランシーバ１４０までに実際データが存在するときだけ、ワイヤレス帯域幅が割り当てされる。したがって、ネットワーク層は、割り当てられたワイヤレス帯域幅を通信セッションの全体に対して割り当てる必要がない。つまり、データがネットワーク装置への端末装置上に表われないときは、帯域幅管理機能１３４は最初に割り当てされた無線チャンネル帯域幅１６０の割り当てを解除し、それを別のトランシーバおよび別の加入者ユニット１０１で利用可能にする。
　
　Ｗ−ＬＡＮ検出回路２０１は、例えば前に説明した技術の１つを使用して、Ｗ−ＬＡＮ基地局６１１の存在または利用可能性を検出する。Ｗ−ＬＡＮ基地局が検出されない場合、検出回路２０１によりスイッチ２１１Ａおよび２１１Ｂを制御して、ＣＤＭＡプロトコル・コンバータ１３０をＣＤＭＡ１４０とともに切り換えるようにする。
　
　これと逆に、Ｗ−ＬＡＮ基地局が検出される場合、スイッチ２１１Ａおよび２１１Ｂは図示された位置に切り換えられ、好ましくはＩＥＥＥ  ８０２．１１に準拠するＷ−ＬＡＮプロトコル・コンバータ２３０とトランシーバ２４０を利用する。経路スイッチ２１１Ａ，２１１Ｂは、ソフトウェアまたはハードウェア、または両者の組合せで実現できる。また、他の機能もハードウェアおよび／またはソフトウェアで実現可能であり、それらは、適正な場合、Ｗ−ＬＡＮおよびＣＤＭＡセクションで共有できる。」
　
　上記引用例の記載及び図面並びにこの分野における技術常識を考慮すると、上記摘記事項ロ．における「 図６は、本発明の形態を組み込んだ加入者ユニット６１５を含む端末装置６１５を示す。この端末装置６１５のユーザは、ポータブル・コンピュータ１１０、ＰＤＡまたは他の同様のデバイスを使用して第２サイトとの通信を望んでいる。コンピュータ１１０は、加入者ユニット１０１に接続されている。例えば、加入者ユニット１０１はＰＣＭＣＩＡスロットに差し込むＰＣＭＣＩＡカードであっても良く、また、前記ユニットはモデム・ケーブルを用いてコンピュータ１１０に接続しても良い。好ましくは、加入者ユニット１０１は、インタフェース１２０、前述のスプーフィング１３２と帯域幅管理１３４とを含む各種の機能を実行するＣＤＭＡプロトコル・コンバータ１３０、ＣＤＭＡトランシーバ１４０、Ｗ−ＬＡＮプロトコル・コンバータ２３０、Ｗ−ＬＡＮトランシーバ２４０、Ｗ−ＬＡＮ検出回路２０１、経路選択スイッチ２１１Ａ、２１１Ｂ，および加入者ユニット・アンテナ１５０から構成される。」との記載、ロ．における「Ｗ−ＬＡＮ検出回路２０１は、例えば前に説明した技術の１つを使用して、Ｗ−ＬＡＮ基地局６１１の存在または利用可能性を検出する。」との記載、ＦＩＧ．５及びＦＩＧ．６によれば、端末装置（６１５）は、加入者ユニット（１０１）にＷ−ＬＡＮ検出回路（２０１）を備えている。そして、イ．における「６１５または６１７のような端末装置が、ＩＥＥＥ  ８０２．１１準拠のＷ−ＬＡＮのようなワイヤレスＬＡＮハブ６１１Ａまたは６１１Ｂの存在または利用可能性を検出することが、本発明の主要形態である。これはいくつかの方法で実現できる。例えば、ＩＥＥＥ  ８０２．１１はビーコン・フレームを正規の時間間隔で送信する必要があることを規定している。端末装置６１５，６１７は、ビーコン時間間隔に等しい最小時間長さ待機することにより、ビーコン・フレームを検出できる。」との記載を考慮すれば、（α）Ｗ−ＬＡＮ検出回路（２０１）は、Ｗ−ＬＡＮのビーコン・フレームを検出している。
　また、上記摘記事項ロ．における「Ｗ−ＬＡＮ検出回路２０１は、例えば前に説明した技術の１つを使用して、Ｗ−ＬＡＮ基地局６１１の存在または利用可能性を検出する。Ｗ−ＬＡＮ基地局が検出されない場合、検出回路２０１によりスイッチ２１１Ａおよび２１１Ｂを制御して、ＣＤＭＡプロトコル・コンバータ１３０をＣＤＭＡ１４０とともに切り換えるようにする。これと逆に、Ｗ−ＬＡＮ基地局が検出される場合、スイッチ２１１Ａおよび２１１Ｂは図示された位置に切り換えられ、好ましくはＩＥＥＥ  ８０２．１１に準拠するＷ−ＬＡＮプロトコル・コンバータ２３０とトランシーバ２４０を利用する。」との記載、ＦＩＧ．５及びＦＩＧ．６によれば、（β）加入者ユニット（１０１）のＷ−ＬＡＮ検出回路（２０１）は、Ｗ−ＬＡＮ基地局（６１１）の存在または利用可能性を検出している。すなわち、Ｗ−ＬＡＮが利用可能であるかを判定している。また、（γ）加入者ユニット（１０１）は、Ｗ−ＬＡＮが利用可能であれば、Ｗ−ＬＡＮを利用している。ここで、Ｗ−ＬＡＮが利用可能であることは、Ｗ−ＬＡＮがアクセス可能であることということができる。
　また、上記（α）乃至（γ）を纏めると、加入者ユニット（１０１）のＷ−ＬＡＮ検出回路（２０１）は、Ｗ−ＬＡＮを検出して識別しているから、これをＷ−ＬＡＮを識別する方法ということができる。
　
　したがって、引用例には以下の発明（以下、「引用発明」という。）が記載されている。
　
　「Ｗ−ＬＡＮを識別する方法であって、
　Ｗ−ＬＡＮのビーコン・フレームを検出することと、
　前記Ｗ−ＬＡＮがアクセス可能であるかを判定することと、
　前記Ｗ−ＬＡＮがアクセス可能であれば、前記Ｗ−ＬＡＮを利用することを備える方法。」
　
第４　対比
　本願発明と引用発明とを対比する。
ａ．引用発明の「Ｗ−ＬＡＮ」は、「無線ローカルエリアネットワーク」である。
ｂ．引用発明の「Ｗ−ＬＡＮのビーコン・フレーム」は、上記ａ．の対比を考慮すれば、「無線ローカルネットワークビーコン」ということができる。
ｃ．引用発明の「検出」と、本願発明の「スキャン」とは、いずれも、「処理」という点で一致する。
ｄ．引用発明の「Ｗ−ＬＡＮを利用」と、本願発明の「無線ローカルエリアネットワークに登録」とは、上記ａ．の対比を考慮すれば、いずれも、「無線ローカルエリアネットワークに係る特定の態様」という点で一致する。
　
　したがって、本願発明と引用発明は、以下の点で一致ないし相違する。
　
＜一致点＞
　「無線ローカルエリアネットワークを識別する方法であって、
　無線ローカルエリアネットワークビーコンを処理することと、
　前記無線ローカルエリアネットワークがアクセス可能であるかを判定することと、
　前記無線ローカルエリアネットワークがアクセス可能であれば、前記無線ローカルエリアネットワークに係る特定の態様にすることとを備える方法。」
　
＜相違点１＞
　本願発明は、「携帯ページングインジケータをスキャンすること」を備えるのに対し、引用発明は、「携帯ページングインジケータをスキャンすること」を備えていない点。
　
＜相違点２＞
　「処理」に関し、
　本願発明は、「スキャン」であるのに対し、引用発明は、「検出」である点。
　
＜相違点３＞
　「無線ローカルエリアネットワークに係る特定の態様」に関し、
　本願発明は、「無線ローカルエリアネットワークに登録」するのに対し、引用発明は、「Ｗ−ＬＡＮを利用」する点。
　
第５　判断
　そこで、まず、上記相違点１について検討する。
　上記引用例の上記摘記事項イ．における「加入者ユニット１０１は、インタフェース１２０、前述のスプーフィング１３２と帯域幅管理１３４とを含む各種の機能を実行するＣＤＭＡプロトコル・コンバータ１３０、ＣＤＭＡトランシーバ１４０、Ｗ−ＬＡＮプロトコル・コンバータ２３０、Ｗ−ＬＡＮトランシーバ２４０、Ｗ−ＬＡＮ検出回路２０１、経路選択スイッチ２１１Ａ、２１１Ｂ，および加入者ユニット・アンテナ１５０から構成される。」との記載にあるように、引用例の加入者ユニット（１０１）は、ＣＤＭＡプロトコル・コンバータ（１３０）、ＣＤＭＡトランシーバ（１４０）を備えるところ、ＣＤＭＡのような、携帯無線ネットワークにおいて、携帯ページングインジケータをスキャンすることは、例えば、特開２００２−１８６０２５号公報（段落３９〜４５、図３〜５）、国際公開第０２／０７４５９号（７頁２８行〜８頁８行、ＦＩＧ．２Ａ、２Ｂ）に開示されるように周知であるから、引用発明に周知技術を付加して、本願発明のように「携帯ページングインジケータをスキャンすること」を備えることは当業者が容易に成し得ることである。
　
　次に、上記相違点２について検討する。
　引用発明は、「Ｗ−ＬＡＮのビーコン・フレームを検出」するところ、Ｗ−ＬＡＮ（無線ローカルエリアネットワーク）のビーコン・フレーム（ビーコン）は、時系列的に連続して送信され、これらを探す検出処理をスキャンと称することは技術常識であるから、引用発明の「Ｗ−ＬＡＮのビーコン・フレームを検出」を、本願発明のように「無線ローカルエリアネットワークビーコンをスキャン」ということができることは当然である。
　
　次に、上記相違点３について検討する。
　引用発明は、「Ｗ−ＬＡＮを利用」するところ、無線ネットワークを利用する前段に必要な通信手順として、無線ネットワークに登録することは、例えば、特開平１１−７５２４５号公報（段落２０、２１、図２）、特開２０００−１５６８８７号公報（段落１９〜２２、図２）に開示されるように周知であるから、引用発明に周知技術を適用して、本願発明のように「無線ローカルエリアネットワークに登録」することは当業者が容易に成し得ることである。
　
　そして、本願発明の作用効果も、引用発明及び周知技術から当業者が容易に予測できる範囲のものである。
　
第６　むすび
　以上のとおり、本願発明は、引用発明及び周知技術に基いて当業者が容易に発明をすることができたものと認められるから、特許法第２９条第２項の規定により特許を受けることができない。
　
　よって、結論のとおり審決する。